(57)【要約】【課題】  除菌力及び洗浄力が充分に高く、沈澱等の不溶物が生じない、アニオン界面活性剤及びカチオン界面活性剤を両方含む除菌洗浄剤組成物を提供する。【解決手段】  アニオン界面活性剤と、カチオン界面活性剤とを含む除菌洗浄剤組成物であって、上記アニオン界面活性剤は、カルボン酸型アニオン界面活性剤、スルホン酸型アニオン界面活性剤及び硫酸エステル型アニオン界面活性剤からなる群から選択される少なくとも１種であり、上記カチオン界面活性剤は、アルキルジメチルヒドロキシエチルアンモニウム塩、ジアルキルジメチルアンモニウム塩（アルキル鎖長は炭素数８以下）及びトリアルキル型四級アンモニウム塩からなる群から選択される少なくとも１種であり、上記除菌洗浄剤組成物は、食器用、厨房用、店舗清掃用、ガラス用、浴室用、又は、トイレ用の洗浄用途に用いられることを特徴とする除菌洗浄剤組成物。【選択図】  なし【特許請求の範囲】
【請求項１】
アニオン界面活性剤と、カチオン界面活性剤とを含む除菌洗浄剤組成物であって、
前記アニオン界面活性剤は、カルボン酸型アニオン界面活性剤、スルホン酸型アニオン界面活性剤及び硫酸エステル型アニオン界面活性剤からなる群から選択される少なくとも１種であり、
前記カチオン界面活性剤は、アルキルジメチルヒドロキシエチルアンモニウム塩、ジアルキルジメチルアンモニウム塩（アルキル鎖長は炭素数８以下）及びトリアルキル型四級アンモニウム塩からなる群から選択される少なくとも１種であり、
前記除菌洗浄剤組成物は、食器用、厨房用、店舗清掃用、ガラス用、浴室用、又は、トイレ用の洗浄用途に用いられることを特徴とする除菌洗浄剤組成物。
【請求項２】
前記アニオン界面活性剤は、直鎖アルキルベンゼンスルホン酸塩、ポリオキシエチレンアルキルエーテル硫酸塩、α−オレフィンスルホン酸塩、アルカンスルホン酸塩、ポリオキシエチレンアルキルエーテル酢酸塩、脂肪酸塩、α−スルホ脂肪酸メチルエステル塩、ジアルキルスルホコハク酸塩及びアルキル硫酸塩からなる群から選択される少なくとも１種である請求項１に記載の除菌洗浄剤組成物。
【請求項３】
さらにグリコール系溶剤、アルコール系溶剤、エーテル系溶剤、エステル系溶剤及びグリセリンからなる群から選択される少なくとも１種の溶剤と、
非イオン界面活性剤、半極性界面活性剤、両性界面活性剤からなる群から選択される少なくとも一種の界面活性剤とを含み、
食器用である請求項１又は２に記載の除菌洗浄剤組成物。
【請求項４】
さらにアルカリ金属水酸化物、ケイ酸塩、アミン化合物及び炭酸塩からなる群から選択される少なくとも１種のアルカリ剤と、
グリコール系溶剤、アルコール系溶剤、エーテル系溶剤、エステル系溶剤及びグリセリンからなる群から選択される少なくとも１種の溶剤とを含み、
厨房用である請求項１又は２に記載の除菌洗浄剤組成物。
【請求項５】
さらにアミン化合物及び炭酸塩からなる群から選択される少なくとも１種のアルカリ剤と、
グリコール系溶剤、アルコール系溶剤、エーテル系溶剤、エステル系溶剤及びグリセリンからなる群から選択される少なくとも１種の溶剤とを含み、
店舗清掃用である請求項１又は２に記載の除菌洗浄剤組成物。
【請求項６】
さらにアルカリ剤としてアミン化合物と、
グリコール系溶剤、アルコール系溶剤、エーテル系溶剤、エステル系溶剤及びグリセリンからなる群から選択される少なくとも一種の溶剤とを含み、
ガラス用である請求項１又は２に記載の除菌洗浄剤組成物。
【請求項７】
さらにグリコール系溶剤、アルコール系溶剤、エーテル系溶剤、エステル系溶剤及びグリセリンからなる群から選択される少なくとも１種の溶剤と、
アミノカルボン酸系キレート剤、ホスホン酸系キレート剤、ヒドロキシカルボン酸系キレート剤、リン酸系キレート剤及びエーテルカルボン酸塩系キレート剤からなる群から選択される少なくとも１種のキレート剤と、
アルカリ金属水酸化物、炭酸塩及びアミン化合物からなる群から選択される少なくとも１種のアルカリ剤とを含み、
浴室用である請求項１又は２に記載の除菌洗浄剤組成物。
【請求項８】
さらにアミノカルボン酸系キレート剤、ホスホン酸系キレート剤、ヒドロキシカルボン酸系キレート剤、リン酸系キレート剤及びエーテルカルボン酸塩系キレート剤からなる群から選択される少なくとも１種のキレート剤を含み、
トイレ用である請求項１又は２に記載の除菌洗浄剤組成物。
【発明の詳細な説明】
【技術分野】
【０００１】
本発明は、除菌洗浄剤組成物に関する。
【背景技術】
【０００２】
従来より、カチオン界面活性剤を含む液体洗浄剤組成物は知られている。
【０００３】
特許文献１には、（Ａ）ノニオン界面活性剤２０〜４０質量％、（Ｂ）カチオン界面活性剤２〜１０質量％、（Ｃ）アルカリ剤１〜５質量％、（Ｄ）水溶性溶剤５〜２０質量％、（Ｅ）キレート剤０．１〜５質量％、及び（Ｆ）水を含有し、且つ、原液におけるｐＨ（ＪＩＳ−Ｚ−８８０２：１９８４「ｐＨ測定方法」）が、２５℃で１２以上に設定されていることを特徴とする硬表面用除菌洗浄剤組成物が記載されている。
また、特許文献１では、カチオン界面活性剤により除菌作用が向上する旨が記載されている。
【先行技術文献】
【特許文献】
【０００４】
【特許文献１】特開２００７−１２６５８１号公報
【発明の概要】
【発明が解決しようとする課題】
【０００５】
アニオン界面活性剤には界面活性効果があり、アニオン界面活性剤は洗浄力向上のために洗浄剤組成物に用いられる成分の一つとして知られている。
【０００６】
通常、アニオン界面活性剤の親水基は負に帯電しており、カチオン界面活性剤の親水基は正に帯電している。そのため、アニオン界面活性剤を、カチオン界面活性剤を含む洗浄剤組成物を混合すると、アニオン界面活性剤の親水基と、カチオン界面活性剤の親水基とが電気的に引き寄せられ、界面活性効果が低下する。
その結果、洗浄剤組成物の除菌力が低下し、また、沈澱等の不溶物が生じてしまうという問題があった。
【０００７】
本発明は、上記問題を解決する為になされた発明であり、本発明の目的は、除菌力が充分に高く、沈澱等の不溶物が生じない、アニオン界面活性剤及びカチオン界面活性剤を両方含む除菌洗浄剤組成物を提供することである。
【課題を解決するための手段】
【０００８】
本発明者らは、鋭意研究した結果、特定の種類のアニオン界面活性剤及びカチオン界面活性剤を組み合わせることにより、除菌洗浄剤組成物の除菌力が向上し、かつ、沈澱等の不溶物が生じないことを見出し本発明を完成させた。
【０００９】
すなわち、本発明の除菌洗浄剤組成物は、アニオン界面活性剤と、カチオン界面活性剤とを含む除菌洗浄剤組成物であって、上記アニオン界面活性剤は、カルボン酸型アニオン界面活性剤、スルホン酸型アニオン界面活性剤及び硫酸エステル型アニオン界面活性剤からなる群から選択される少なくとも１種であり、上記カチオン界面活性剤は、アルキルジメチルヒドロキシエチルアンモニウム塩、ジアルキルジメチルアンモニウム塩（アルキル鎖長は炭素数８以下）及びトリアルキル型四級アンモニウム塩からなる群から選択される少なくとも１種であり、上記除菌洗浄剤組成物は、食器用、厨房用、店舗清掃用、ガラス用、浴室用、又は、トイレ用の洗浄用途に用いられることを特徴とする。
【００１０】
カチオン界面活性剤を含む除菌洗浄剤組成物にアニオン界面活性剤を加えると、除菌力及び洗浄力が低下し、さらに、沈澱等の不溶物が生じる場合がある。しかし、上記種類のアニオン界面活性剤とカチオン界面活性剤とを組み合わせると、除菌洗浄剤組成物の除菌力が向上する。また、除菌洗浄剤組成物に沈澱等の不溶物が生じない。
【００１１】
上記アニオン界面活性剤は、直鎖アルキルベンゼンスルホン酸塩、ポリオキシエチレンアルキルエーテル硫酸塩、α−オレフィンスルホン酸塩、アルカンスルホン酸塩、ポリオキシエチレンアルキルエーテル酢酸塩、脂肪酸塩、α−スルホ脂肪酸メチルエステル塩、ジアルキルスルホコハク酸塩及びアルキル硫酸塩からなる群から選択される少なくとも１種であることが望ましい。
これらのアニオン界面活性剤と上記カチオン界面活性剤とを組み合わせると、除菌洗浄剤組成物の除菌力がさらに向上する。また、除菌洗浄剤組成物に沈澱等の不溶物がさらに生じにくくなる。
【００１２】
本発明の除菌洗浄剤組成物は、さらにグリコール系溶剤、アルコール系溶剤、エーテル系溶剤、エステル系溶剤及びグリセリンからなる群から選択される少なくとも１種の溶剤と、非イオン界面活性剤、半極性界面活性剤、両性界面活性剤からなる群から選択される少なくとも一種の界面活性剤とを含み、食器用であることが望ましい。
上記溶剤を含む場合、液体洗浄剤組成物の配合安定性が向上する。
また、上記界面活性剤を含む場合、油汚れに対する洗浄力が向上する。
以上より、上記の成分を含むと、食器用の除菌洗浄剤組成物として適した組成となる。
【００１３】
本発明の除菌洗浄剤組成物は、さらにアルカリ金属水酸化物、ケイ酸塩、アミン化合物及び炭酸塩からなる群から選択される少なくとも１種のアルカリ剤と、グリコール系溶剤、アルコール系溶剤、エーテル系溶剤、エステル系溶剤及びグリセリンからなる群から選択される少なくとも１種の溶剤とを含み、厨房用であることが望ましい。
上記アルカリ剤を含む場合、油汚れに対する洗浄力が向上する。
また、上記溶剤を含む場合、洗浄表面への濡れ性が向上する。
以上より、上記の成分を含むと、厨房用の除菌洗浄剤組成物として適した組成となる。
【００１４】
本発明の除菌洗浄剤組成物は、さらにアミン化合物及び炭酸塩からなる群から選択される少なくとも１種のアルカリ剤と、グリコール系溶剤、アルコール系溶剤、エーテル系溶剤、エステル系溶剤及びグリセリンからなる群から選択される少なくとも１種の溶剤とを含み、店舗清掃用であることが望ましい。
上記アルカリ剤を含む場合、油汚れや手垢汚れに対する洗浄力が向上する。
また、上記溶剤を含む場合、洗浄表面への濡れ性が向上する。
以上より、上記の成分を含むと、店舗清掃用の除菌洗浄剤組成物として適した組成となる。
【００１５】
本発明の除菌洗浄剤組成物は、さらにアルカリ剤としてアミン化合物等と、グリコール系溶剤、アルコール系溶剤、エーテル系溶剤、エステル系溶剤及びグリセリンからなる群から選択される少なくとも一種の溶剤とを含み、ガラス用であることが望ましい。
上記アミン化合物を含む場合、ガラス表面に拭き跡が残りにくくなる。
以上より、上記の成分を含むと、ガラス用の除菌洗浄剤組成物として適した組成となる。
【００１６】
本発明の除菌洗浄剤組成物は、さらにグリコール系溶剤、アルコール系溶剤、エーテル系溶剤、エステル系溶剤及びグリセリンからなる群から選択される少なくとも１種の溶剤と、アミノカルボン酸系キレート剤、ホスホン酸系キレート剤、ヒドロキシカルボン酸系キレート剤、リン酸系キレート剤及びエーテルカルボン酸塩系キレート剤からなる群から選択される少なくとも１種のキレート剤と、アルカリ金属水酸化物、炭酸塩及びアミン化合物からなる群から選択される少なくとも１種のアルカリ剤とを含み、浴室用であることが望ましい。
上記溶剤を含む場合、皮脂やタンパク質汚れに対する洗浄力が向上する。
上記キレート剤を含む場合、石けんカスに対する洗浄力が向上する。
上記アルカリ剤を含む場合、洗浄力が向上する。
以上より、上記の成分を含むと、浴室用の除菌洗浄剤組成物として適した組成となる。
【００１７】
本発明の除菌洗浄剤組成物は、さらにアミノカルボン酸系キレート剤、ホスホン酸系キレート剤、ヒドロキシカルボン酸系キレート剤、リン酸系キレート剤及びエーテルカルボン酸塩系キレート剤からなる群から選択される少なくとも１種のキレート剤を含み、トイレ用であることが望ましい。
上記キレート剤を含む場合、尿石汚れに対する洗浄力が向上する。
以上より、上記の成分を含むと、トイレ用の除菌洗浄剤組成物として適した組成となる。
【発明の効果】
【００１８】
本発明の除菌洗浄剤組成物では、特定の種類のアニオン界面活性剤及びカチオン界面活性剤を含む。そのため、除菌洗浄剤組成物の除菌力が向上し、かつ、沈澱等の不溶物が生じない。
【発明を実施するための形態】
【００１９】
以下、本発明の除菌洗浄剤組成物について具体的な実施形態を示しながら説明する。しかしながら、本発明は、以下の実施形態に限定されるものではなく、本発明の要旨を変更しない範囲において適宜変更して適用することができる。
【００２０】
（第１実施形態）
本発明の第１実施形態に係る除菌洗浄剤組成物は、食器用の除菌洗浄剤組成物である。
本発明の第１実施形態に係る除菌洗浄剤組成物は、アニオン界面活性剤と、カチオン界面活性剤とを含む。
【００２１】
アニオン界面活性剤は、カルボン酸型アニオン界面活性剤、スルホン酸型アニオン界面活性剤及び硫酸エステル型アニオン界面活性剤からなる群から選択される少なくとも１種である。
また、カルボン酸型アニオン界面活性剤としては、ポリオキシエチレンアルキルエーテル酢酸塩、脂肪酸塩等が挙げられる。
スルホン酸型アニオン界面活性剤としては、直鎖アルキルベンゼンスルホン酸塩、α−オレフィンスルホン酸塩、アルカンスルホン酸塩、α−スルホ脂肪酸メチルエステル塩、ジアルキルスルホコハク酸塩等が挙げられる。
硫酸エステル型アニオン界面活性剤としては、ポリオキシエチレンアルキルエーテル硫酸塩、アルキル硫酸塩等が挙げられる。
【００２２】
直鎖アルキルベンゼンスルホン酸塩は、ナトリウム塩、カリウム塩、アンモニウム塩、エタノールアミン塩であっても良い。
特に、ドデシルベンゼンスルホン酸トリエタノールアミンであることが望ましい。
【００２３】
ポリオキシエチレンアルキルエーテル硫酸塩は、ナトリウム塩、カリウム塩、アンモニウム塩、エタノールアミン塩であっても良い。
特に、ポリオキシエチレンラウリル硫酸ナトリウム又はポリオキシエチレントリデシル硫酸ナトリウムであることが望ましい。
【００２４】
α−オレフィンスルホン酸塩は、ナトリウム塩、カリウム塩、アンモニウム塩、エタノールアミン塩であっても良い。
特に、α−オレフィンスルホン酸ナトリウムであることが望ましい。
【００２５】
アルカンスルホン酸塩は、ナトリウム塩、カリウム塩、アンモニウム塩、エタノールアミン塩であっても良い。
特に、２級アルカンスルホン酸ナトリウムであることが望ましい。
【００２６】
ポリオキシエチレンアルキルエーテル酢酸塩は、ナトリウム塩、カリウム塩、アンモニウム塩、エタノールアミン塩であっても良い。
特に、ポリオキシエチレンラウリルエーテル酢酸ナトリウムであることが望ましい。
【００２７】
脂肪酸塩は、ナトリウム塩、カリウム塩、アンモニウム塩、エタノールアミン塩であっても良い。
特に、エタノールアミン塩であることが望ましい。
【００２８】
α−スルホ脂肪酸メチルエステル塩は、ナトリウム塩、カリウム塩、アンモニウム塩、エタノールアミン塩であっても良い。
特に、α−スルホ牛脂脂肪酸エステルナトリウムであることが望ましい。
【００２９】
アルキル硫酸塩は、ナトリウム塩、カリウム塩、アンモニウム塩、エタノールアミン塩であっても良い。
特に、ドデシル硫酸ナトリウムであることが望ましい。
【００３０】
カチオン界面活性剤は、アルキルジメチルヒドロキシエチルアンモニウム塩、ジアルキルジメチルアンモニウム塩（アルキル鎖長は炭素数８以下）及びトリアルキル型四級アンモニウム塩からなる群から選択される少なくとも１種である。
【００３１】
アルキルジメチルヒドロキシエチルアンモニウム塩としては、アルキルジメチルジヒドロキシエチルアンモニウムクロライドであることが望ましい。
【００３２】
ジアルキルジメチルアンモニウム塩としては、ジオクチルジメチルアンモニウムクロライドであることが望ましい。
【００３３】
トリアルキル型四級アンモニウム塩としては、ミリスチルトリメチルアンモニウムクロライド、ラウリルトリメチルアンモニウムクロライド、セチルトリメチルアンモニウムクロライド、ステアリルトリメチルアンモニウムクロライド、トリポリオキシエチレンステアリルアンモニウムクロライドであることが望ましい。
【００３４】
本発明の第１実施形態に係る除菌洗浄剤組成物において、アニオン界面活性剤とカチオン界面活性剤とのモル比は、アニオン界面活性剤／カチオン界面活性剤＝０．０１〜９９．０であることが望ましく０．１０〜５０．０であることがより望ましい。
【００３５】
本発明の第１実施形態に係る除菌洗浄剤組成物において、除菌洗浄剤組成物の重量に対するアニオン界面活性剤及びカチオン界面活性剤の合計重量の割合は、３．０〜８０．０重量％であることが望ましく、５．０〜５０重量％であることがより望ましい。
【００３６】
本発明の第１実施形態に係る除菌洗浄剤組成物において、ｐＨは、４．０〜１０．０であることが望ましく、６．０〜８．０であることがより望ましい。
【００３７】
本発明の第１実施形態に係る除菌洗浄剤組成物は、さらに、非イオン界面活性剤、半極性界面活性剤、両性界面活性剤からなる群から選択される少なくとも一種の界面活性剤を含むことが望ましい。
これらの界面活性剤としては、アルキルベタイン、アルキルアミンオキシド、ポリオキシエチレンアルキルエーテル、アルキルグルコシド等が挙げられる。
また、これらの界面活性剤の含有量は、１．０〜２０．０重量％であることが望ましく、３．０〜１０．０重量％であることがより望ましい。
これらの界面活性剤を含む場合、泡立ちが向上する。
【００３８】
本発明の第１実施形態に係る除菌洗浄剤組成物は、さらにグリコール系溶剤、アルコール系溶剤、エーテル系溶剤、エステル系溶剤及びグリセリンからなる群から選択される少なくとも１種の溶剤を含むことが望ましい。
グリコール系溶剤としては、エチレングリコール、プロピレングリコール、ジプロピレングリコール、１，４−ブタンジオール、１，６−ヘキサンジオール、ポリエチレングリコール、ポリプロピレングリコール、エチレングリコールモノメチルエーテル、エチレングリコールモノエチルエーテル、エチレングリコールモノプロピルエーテル、エチレングリコールモノブチルエーテル、エチレングリコールｔ−ブチルエーテル、エチレングリコールモノヘキシルエーテル、エチレングリコールモノフェニルエーテル、ジエチレングリコールモノメチルエーテル、ジエチレングリコールモノエチルエーテル、ジエチレングリコールモノプロピルエーテル、ジエチレングリコールモノブチルエーテル、プロピレングリコールモノメチルエーテル、プロピレングリコールモノエチルエーテル、プロピレングリコールモノプロピルエーテル、プロピレングリコールモノブチルエーテル、ジプロピレングリコールモノメチルエーテル、ジプロピレングリコールモノエチルエーテル、ジプロピレングリコールモノプロピルエーテル、ジプロピレングリコールモノブチルエーテル、トリエチレングリコールモノエチルエーテル、トリエチレングリコールモノブチルエーテル等が挙げられる。
アルコール系溶剤としては、メチルアルコール、エチルアルコール、１−プロパノール、２−プロパノール、１−ブタノール、２−ブタノール、２−メトキシエタノール、２−エトキシエタノール、ベンジルアルコール、３−メトキシ−３−メチル−１−ブタノール、ポリオキシエチレンベンジルアルコール等が挙げられる。
エーテル系溶剤としては、ジエチルエーテル、ジイソプロピルエーテル、ジブチルエーテル等が挙げられる。
エステル系溶剤としては、エチレングリコールモノメチルエーテルアセテート、エチレングリコールモノエチルエーテルアセテート、プロピレングリコールモノメチルエーテルアセテート、プロピレングリコールモノエチルエーテルアセテート、ジエチレングリコールモノエチルエーテルアセテート、ジエチレングリコールモノブチルエーテルアセテート、３−メトキシ−３−メチル−１−ブチルアセテート等が挙げられる。
また、これらの溶剤の含有量は、１．０〜２０．０重量％であることが望ましく、２．０〜１５．０重量％であることがより望ましい。
これらの溶剤を含む場合、液体洗浄剤組成物の配合安定性が向上する。
【００３９】
本発明の第１実施形態に係る除菌洗浄剤組成物は、さらに可溶化剤や、キレート剤を含んでいてもよい。
【００４０】
（実施例１−１）〜（実施例１−４０）及び（比較例１−１）〜（比較例１−５）
表１〜４に示す配合で、実施例１−１〜実施例１−４０に係る除菌洗浄剤組成物、及び、比較例１−１〜比較例１−５に係る除菌洗浄剤組成物を作製した。
表１〜４中の数値は、「重量％」を示している。
【００４１】
【表１】
2020147656.tif 000002
【００４２】
【表２】
2020147656.tif 000003
【００４３】
【表３】
2020147656.tif 000004
【００４４】
【表４】
2020147656.tif 000005
【００４５】
＜濁度評価＞
各実施例及び各比較例に係る除菌洗浄剤組成物について、濁度評価を以下の手順で行った。結果を表１〜４に示す。
実施例記載の液体洗浄剤組成物の濁度を、紫外可視近赤外分光光度計（型番：Ｖ−６７０ＤＳ、日本分光株式会社製）及び分光光度計用セル１０ｍｍを用いて測定した。
評価基準は以下の通りである。
〇：濁度が１５０度（ホルマジン）未満である。
×：濁度が１５０度（ホルマジン）以上である。
【００４６】
＜洗浄力評価＞
各実施例及び各比較例に係る除菌洗浄剤組成物について、洗浄力評価を以下の手順で行った。結果を表１〜４に示す。
メラミン板（６ｃｍ×６ｃｍ）に複合汚れ（大豆白絞油：牛脂：薄力粉＝８５：５：１０）を０．２ｇを塗り、１０分間放置し、モデル汚れとした。
各実施例及び各比較例に係る除菌洗浄剤組成物を水で３０倍に希釈した。
次に、汚れの付いたメラミン板を洗浄液中に浸漬し、３分浸漬後の汚れの落ち具合を目視で評価した。
評価基準は以下の通りである。
○：汚れが５０％以上落ちている。
×：汚れが５０％未満しか落ちていない。
【００４７】
＜大腸菌に対する除菌効果試験＞
（１）大腸菌（Ｅｓｃｈｅｒｉｃｈｉａ  ｃｏｌｉ  ＮＢＲＣ３９７２）を普通ブイヨン培地に接種し、３５℃で２４時間培養し菌液とした。
（２）各実施例及び各比較例の除菌洗浄剤組成物と菌液とを９９：１の割合（容量）で混合し、室温で１分経過後、ＳＣＤＬＰ培地に１白金耳移植し、３５℃で４８時間培養後、菌の生死を判定した。
（３）ＳＣＤＬＰ培地に濁りが見られた場合菌が死滅しなかったと判断し、濁りが見られない場合菌が死滅したと判断した。結果を表１〜４に示す。
評価基準は以下の通りである。
〇：大腸菌が死滅した。
×：大腸菌が死滅しなかった。
【００４８】
＜黄色ブドウ球菌に対する除菌効果試験＞
大腸菌の代わりに黄色ブドウ球菌（Ｓｔａｐｈｙｌｏｃｏｃｃｕｓ  ａｕｒｅｕｓ  ＮＢＲＣ１２７３２）を用いた以外は、上記＜除菌試験１：大腸菌に対する除菌効果試験＞
と同様に、黄色ブドウ球菌に対する除菌効果を試験した。結果を表１〜４に示す。
評価基準は以下の通りである。
〇：黄色ブドウ球菌が死滅した。
×：黄色ブドウ球菌が死滅しなかった。
【００４９】
＜カンピロバクターに対する除菌効果試験＞
（１）カンピロバクター（Ｃａｍｐｙｌｏｂａｃｔｅｒ  ｊｅｊｕｎｉ  ｓｕｂｓｐ．  ｊｅｊｕｎｉ  ＡＴＣＣ  ３３５６０）を５％馬脱繊維血液加Ｂｌｏｏｄ  Ａｇａｒ  Ｂａｓｅ  Ｎｏ．２で３５℃±１℃、２〜３日間微好気培養後、生理食塩水に懸濁した。
（２）各実施例及び各比較例の除菌洗浄剤組成物と菌液とを１００：１の割合（容量）で混合し、室温で１分経過後、ＳＣＤＬＰ培地で１０倍に希釈し、組成物の菌に対する作用を停止させた。
（３）停止液を５％馬脱繊維血液加Ｂｌｏｏｄ  Ａｇａｒ  Ｂａｓｅ  Ｎｏ．２に塗抹し、３５℃±１℃で５日間、微好気培養後、コロニーの有無で菌の死滅を判断した。結果を表１〜４に示す。
評価基準は以下の通りである。
〇：コロニーが検出されなかった。
×：コロニーが検出された。
【００５０】
表１〜３に示すように、各実施例に係る除菌洗浄剤組成物は、充分な洗浄力を有することが判明した。
また、各実施例に係る除菌洗浄剤組成物は、濁度評価が良好であり、沈澱等の不溶物が生じないことが判明した。
また、各実施例に係る除菌洗浄剤組成物は、食中毒の原因となる大腸菌、黄色ブドウ球菌及びカンピロバクターに対し充分な除菌力を示すことが判明した。
【００５１】
（第２実施形態）
本発明の第２実施形態に係る除菌洗浄剤組成物は、厨房用の除菌洗浄剤組成物である。
本発明の第２実施形態に係る除菌洗浄剤組成物は、アニオン界面活性剤と、カチオン界面活性剤とを含む。
【００５２】
本発明の第２実施形態に係る除菌洗浄剤組成物に含まれる望ましいアニオン界面活性剤及びカチオン界面活性剤は、上記本発明の第１実施形態に係る除菌洗浄剤組成物に含まれる望ましいアニオン界面活性剤及びカチオン界面活性剤と同じである。
【００５３】
本発明の第２実施形態に係る除菌洗浄剤組成物において、アニオン界面活性剤とカチオン界面活性剤とのモル比は、アニオン界面活性剤／カチオン界面活性剤＝０．０１〜９９．０であることが望ましく０．１０〜５０．０であることがより望ましい。
【００５４】
本発明の第２実施形態に係る除菌洗浄剤組成物において、除菌洗浄剤組成物の重量に対するアニオン界面活性剤及びカチオン界面活性剤の合計重量の割合は、０．５〜８０．０重量％であることが望ましく、５．０〜５０重量％であることがより望ましい。
【００５５】
本発明の第２実施形態に係る除菌洗浄剤組成物において、ｐＨは、７〜１４であることが望ましく、１１〜１４であることがより望ましい。
【００５６】
本発明の第２実施形態に係る除菌洗浄剤組成物は、アルカリ金属水酸化物、ケイ酸塩、アミン化合物及び炭酸塩からなる群から選択される少なくとも１種のアルカリ剤を含むことが望ましい。
アルカリ金属水酸化物としては、水酸化カリウム、水酸化ナトリウム等が挙げられる。
ケイ酸塩としては、メタケイ酸ナトリウム、オルソケイ酸ナトリウム、ケイ酸カリウム等が挙げられる。
アミン化合物としては、モノエタノールアミン、プロパノールアミン、モノイソプロパノールアミン等が挙げられる。
炭酸塩としては、炭酸カリウム、炭酸ナトリウム等が挙げられる。
また、これらのアルカリ剤の含有量は、１〜３０重量％であることが望ましく、５〜２０重量％であることがより望ましい。
上記アルカリ剤を含む場合、蓄積した油汚れに対する洗浄力が向上する。
【００５７】
本発明の第２実施形態に係る除菌洗浄剤組成物は、グリコール系溶剤、アルコール系溶剤、エーテル系溶剤、エステル系溶剤及びグリセリンからなる群から選択される少なくとも１種の溶剤を含むことが望ましい。
グリコール系溶剤としては、エチレングリコール、プロピレングリコール、ジプロピレングリコール、１，４−ブタンジオール、１，６−ヘキサンジオール、ポリエチレングリコール、ポリプロピレングリコール、エチレングリコールモノメチルエーテル、エチレングリコールモノエチルエーテル、エチレングリコールモノプロピルエーテル、エチレングリコールモノブチルエーテル、エチレングリコールｔ−ブチルエーテル、エチレングリコールモノヘキシルエーテル、エチレングリコールモノフェニルエーテル、ジエチレングリコールモノメチルエーテル、ジエチレングリコールモノエチルエーテル、ジエチレングリコールモノプロピルエーテル、ジエチレングリコールモノブチルエーテル、プロピレングリコールモノメチルエーテル、プロピレングリコールモノエチルエーテル、プロピレングリコールモノプロピルエーテル、プロピレングリコールモノブチルエーテル、ジプロピレングリコールモノメチルエーテル、ジプロピレングリコールモノエチルエーテル、ジプロピレングリコールモノプロピルエーテル、ジプロピレングリコールモノブチルエーテル、トリエチレングリコールモノエチルエーテル、トリエチレングリコールモノブチルエーテル等が挙げられる。
アルコール系溶剤としては、メチルアルコール、エチルアルコール、１−プロパノール、２−プロパノール、１−ブタノール、２−ブタノール、２−メトキシエタノール、２−エトキシエタノール、ベンジルアルコール、３−メトキシ−３−メチル−１−ブタノール、ポリオキシエチレンベンジルアルコール等が挙げられる。
また、これらの溶剤の含有量は、１〜３０重量％であることが望ましく、５〜２０重量％であることがより望ましい。
上記溶剤を含む場合、洗浄表面への濡れ性が向上する
【００５８】
本発明の第２実施形態に係る除菌洗浄剤組成物は、可溶化剤やキレート剤を含んでいてもよい。
【００５９】
（実施例２−１）〜（実施例２−４０）及び（比較例２−１）〜（比較例２−５）
表５〜８に示す配合で、実施例２−１〜実施例２−４０に係る除菌洗浄剤組成物、及び、比較例２−１〜比較例２−５に係る除菌洗浄剤組成物を作製した。
表５〜８中の数値は、「重量％」を示している。
【００６０】
【表５】
2020147656.tif 000006
【００６１】
【表６】
2020147656.tif 000007
【００６２】
【表７】
2020147656.tif 000008
【００６３】
【表８】
2020147656.tif 000009
【００６４】
＜濁度評価＞
上記本発明の第１実施形態に係る除菌洗浄剤組成物の＜濁度評価＞と同じ方法で、各実施例及び各比較例に係る除菌洗浄剤組成物について、濁度評価を以下の手順で行った。結果を表５〜８に示す。
【００６５】
＜洗浄力評価＞
各実施例及び各比較例に係る除菌洗浄剤組成物について、洗浄力評価を以下の手順で行った。結果を表５〜８に示す。
ステンレス板（６ｃｍ×６ｃｍ）に複合汚れ（大豆白絞油：牛脂：薄力粉＝８５：５：１０）を０．２ｇを塗り、１０分間放置し、モデル汚れとした。
各実施例及び各比較例に係る除菌洗浄剤組成物を水で２０倍に希釈した。
次に、汚れの付いたステンレス板を洗浄液中に浸漬し、３分浸漬後の汚れの落ち具合を目視で評価した。
評価基準は以下の通りである。
○：汚れが５０％以上落ちている。
×：汚れが５０％未満しか落ちていない。
【００６６】
＜大腸菌に対する除菌効果試験＞
上記本発明の第１実施形態に係る除菌洗浄剤組成物の＜大腸菌に対する除菌効果試験＞と同じ方法で、各実施例及び各比較例に係る除菌洗浄剤組成物の大腸菌に対する除菌効果を試験した。結果を表５〜８に示す。
【００６７】
＜黄色ブドウ球菌に対する除菌効果試験＞
上記本発明の第１実施形態に係る除菌洗浄剤組成物の＜黄色ブドウ球菌に対する除菌効果試験＞と同じ方法で、各実施例及び各比較例に係る除菌洗浄剤組成物の黄色ブドウ球菌に対する除菌効果を試験した。結果を表５〜８に示す。
【００６８】
＜カンピロバクターに対する除菌効果試験＞
上記本発明の第１実施形態に係る除菌洗浄剤組成物の＜カンピロバクターに対する除菌効果試験＞と同じ方法で、各実施例及び各比較例に係る除菌洗浄剤組成物のカンピロバクターに対する除菌効果を試験した。結果を表５〜８に示す。
【００６９】
表５〜７に示すように、各実施例に係る除菌洗浄剤組成物は、充分な洗浄力を有することが判明した。
また、各実施例に係る除菌洗浄剤組成物は、濁度評価が良好であり、沈澱等の不溶物が生じないことが判明した。
また、各実施例に係る除菌洗浄剤組成物は、食中毒の原因となる大腸菌、黄色ブドウ球菌及びカンピロバクターに対し充分な除菌力を示すことが判明した。
【００７０】
（第３実施形態）
本発明の第３実施形態に係る除菌洗浄剤組成物は、店舗清掃用の除菌洗浄剤組成物である。
本発明の第３実施形態に係る除菌洗浄剤組成物は、アニオン界面活性剤と、カチオン界面活性剤とを含む。
なお、本明細書において、店舗清掃用とは、飲食店、スーパーマーケット、ホテル等の厨房、ベーカリー等の床、壁等を清掃する用途の事を意味する。
【００７１】
本発明の第３実施形態に係る除菌洗浄剤組成物に含まれる望ましいアニオン界面活性剤及びカチオン界面活性剤は、上記本発明の第１実施形態に係る除菌洗浄剤組成物に含まれる望ましいアニオン界面活性剤及びカチオン界面活性剤と同じである。
【００７２】
本発明の第３実施形態に係る除菌洗浄剤組成物において、アニオン界面活性剤とカチオン界面活性剤とのモル比は、アニオン界面活性剤／カチオン界面活性剤＝０．０１〜９９．０であることが望ましく０．１０〜５０．０であることがより望ましい。
【００７３】
本発明の第３実施形態に係る除菌洗浄剤組成物において、除菌洗浄剤組成物の重量に対するアニオン界面活性剤及びカチオン界面活性剤の合計重量の割合は、０．１〜１０重量％であることが望ましく、０．５〜５．０重量％であることがより望ましい。
【００７４】
本発明の第３実施形態に係る除菌洗浄剤組成物において、ｐＨは、６〜１２であることが望ましく、９〜１１であることがより望ましい。
【００７５】
本発明の第３実施形態に係る除菌洗浄剤組成物は、アミン化合物及び炭酸塩からなる群から選択される少なくとも１種のアルカリ剤を含むことが望ましい。
アミン化合物としては、モノエタノールアミン、プロパノールアミン、モノイソプロパノールアミン、ジエタノールアミン等が挙げられる。
炭酸塩としては、炭酸カリウム、炭酸ナトリウム、炭酸水素カリウム、炭酸水素ナトリウム等が挙げられる。
また、これらのアルカリ剤の含有量は、０．１〜１０．０重量％であることが望ましく、０．５〜５．０重量％であることがより望ましい。
上記アルカリ剤を含む場合、蓄積した油汚れに対する洗浄力が向上する。
【００７６】
本発明の第３実施形態に係る除菌洗浄剤組成物は、グリコール系溶剤、アルコール系溶剤エーテル系溶剤、エステル系溶剤及びグリセリンからなる群から選択される少なくとも１種の溶剤を含むことが望ましい。
グリコール系溶剤としては、エチレングリコール、プロピレングリコール、ジプロピレングリコール、１，４−ブタンジオール、１，６−ヘキサンジオール、ポリエチレングリコール、ポリプロピレングリコール、エチレングリコールモノメチルエーテル、エチレングリコールモノエチルエーテル、エチレングリコールモノプロピルエーテル、エチレングリコールモノブチルエーテル、エチレングリコールｔ−ブチルエーテル、エチレングリコールモノヘキシルエーテル、エチレングリコールモノフェニルエーテル、ジエチレングリコールモノメチルエーテル、ジエチレングリコールモノエチルエーテル、ジエチレングリコールモノプロピルエーテル、ジエチレングリコールモノブチルエーテル、プロピレングリコールモノメチルエーテル、プロピレングリコールモノエチルエーテル、プロピレングリコールモノプロピルエーテル、プロピレングリコールモノブチルエーテル、ジプロピレングリコールモノメチルエーテル、ジプロピレングリコールモノエチルエーテル、ジプロピレングリコールモノプロピルエーテル、ジプロピレングリコールモノブチルエーテル、トリエチレングリコールモノエチルエーテル、トリエチレングリコールモノブチルエーテル等が挙げられる。
アルコール系溶剤としては、メチルアルコール、エチルアルコール、１−プロパノール、２−プロパノール、１−ブタノール、２−ブタノール、２−メトキシエタノール、２−エトキシエタノール、ベンジルアルコール、３−メトキシ−３−メチル−１−ブタノール、ポリオキシエチレンベンジルアルコール等が挙げられる。
エーテル系溶剤としては、ジエチルエーテル、ジイソプロピルエーテル、ジブチルエーテル等が挙げられる。
エステル系溶剤としては、エチレングリコールモノメチルエーテルアセテート、エチレングリコールモノエチルエーテルアセテート、プロピレングリコールモノメチルエーテルアセテート、プロピレングリコールモノエチルエーテルアセテート、ジエチレングリコールモノエチルエーテルアセテート、ジエチレングリコールモノブチルエーテルアセテート、３−メトキシ−３−メチル−１−ブチルアセテート等が挙げられる。
また、これらの溶剤の含有量は、０．５〜１０．０重量％であることが望ましく、１．０〜５．０重量％であることがより望ましい。
上記溶剤を含む場合、洗浄表面への濡れ性が向上する。
【００７７】
本発明の第３実施形態に係る除菌洗浄剤組成物は、さらにキレート剤を含んでいてもよい。
【００７８】
（実施例３−１）〜（実施例３−４２）及び（比較例３−１）〜（比較例３−５）
表９〜１２に示す配合で、実施例３−１〜実施例３−４２及び比較例３−１〜比較例３−５に係る除菌洗浄剤組成物を作製した。
表９〜１２中の数値は、「重量％」を示している。
【００７９】
【表９】
2020147656.tif 000010
【００８０】
【表１０】
2020147656.tif 000011
【００８１】
【表１１】
2020147656.tif 000012
【００８２】
【表１２】
2020147656.tif 000013
【００８３】
＜濁度評価＞
上記本発明の第１実施形態に係る除菌洗浄剤組成物の＜濁度評価＞と同じ方法で、各実施例及び各比較例に係る除菌洗浄剤組成物について、濁度評価を以下の手順で行った。結果を表９〜１２に示す。
【００８４】
＜洗浄力評価＞
各実施例及び各比較例に係る除菌洗浄剤組成物について、洗浄力評価を以下の手順で行った。結果を表９〜１２に示す。
ポリプロピレン板（８６ｍｍ×２６ｍｍ）に複合汚れ（トリオレイン：オレイン酸：スクアレン＝６０：３０：１０）を０．１ｇを塗り、６０分間放置し、モデル汚れとした。
次に、汚れの付いたポリプロピレン板を洗浄液原液に浸漬し、１分浸漬後の汚れの落ち具合を目視で評価した。
評価基準は以下の通りである。
○：汚れが５０％以上落ちている。
×：汚れが５０％未満しか落ちていない。
【００８５】
＜大腸菌に対する除菌効果試験＞
上記本発明の第１実施形態に係る除菌洗浄剤組成物の＜大腸菌に対する除菌効果試験＞と同じ方法で、各実施例及び各比較例に係る除菌洗浄剤組成物の大腸菌に対する除菌効果を試験した。結果を表９〜１２に示す。
【００８６】
＜黄色ブドウ球菌に対する除菌効果試験＞
上記本発明の第１実施形態に係る除菌洗浄剤組成物の＜黄色ブドウ球菌に対する除菌効果試験＞と同じ方法で、各実施例及び各比較例に係る除菌洗浄剤組成物の黄色ブドウ球菌に対する除菌効果を試験した。結果を表９〜１２に示す。
【００８７】
＜サルモネラ菌に対する除菌効果試験＞
大腸菌の代わりにサルモネラ菌（Ｓａｌｍｏｎｅｌｌａ  ｅｎｔｅｒｉｔｉｄｉｓ  ＮＢＲＣ３３１３）を用いた以外は、上記本発明の第１実施形態に係る除菌洗浄剤組成物の＜大腸菌に対する除菌効果試験＞と同様に、サルモネラ菌に対する除菌効果を試験した。結果を表９〜１２に示す。
評価基準は以下の通りである。
〇：サルモネラ菌が死滅した。
×：サルモネラ菌が死滅しなかった。
【００８８】
表９〜１１に示すように、各実施例に係る除菌洗浄剤組成物は、充分な洗浄力を有することが判明した。
また、各実施例に係る除菌洗浄剤組成物は、濁度評価が良好であり、沈澱等の不溶物が生じないことが判明した。
また、各実施例に係る除菌洗浄剤組成物は、食中毒の原因となる大腸菌、黄色ブドウ球菌及びサルモネラ菌に対し充分な除菌力を示すことが判明した。
【００８９】
（第４実施形態）
本発明の第４実施形態に係る除菌洗浄剤組成物は、ガラス用の除菌洗浄剤組成物である。
本発明の第４実施形態に係る除菌洗浄剤組成物は、アニオン界面活性剤と、カチオン界面活性剤とを含む。
【００９０】
本発明の第４実施形態に係る除菌洗浄剤組成物に含まれる望ましいアニオン界面活性剤及びカチオン界面活性剤は、上記本発明の第１実施形態に係る除菌洗浄剤組成物に含まれる望ましいアニオン界面活性剤及びカチオン界面活性剤と同じである。
【００９１】
本発明の第４実施形態に係る除菌洗浄剤組成物において、アニオン界面活性剤とカチオン界面活性剤とのモル比は、アニオン界面活性剤／カチオン界面活性剤＝０．０１〜９９．０であることが望ましく０．１０〜５０．０であることがより望ましい。
【００９２】
本発明の第４実施形態に係る除菌洗浄剤組成物において、除菌洗浄剤組成物の重量に対するアニオン界面活性剤及びカチオン界面活性剤の合計重量の割合は、０．１〜１０．０重量％であることが望ましく、０．５〜５．０重量％であることがより望ましい。
【００９３】
本発明の第４実施形態に係る除菌洗浄剤組成物において、ｐＨは、６〜１２であることが望ましく、９〜１１であることがより望ましい。
【００９４】
本発明の第４実施形態に係る除菌洗浄剤組成物は、アルカリ剤としてアミン化合物を含むことが望ましい。
アミン化合物としては、モノエタノールアミン、モルホリン、モノイソプロパノールアミン等が挙げられる。
また、これらのアミン化合物の含有量は、０．１〜１０．０重量％であることが望ましく、０．５〜５．０重量％であることがより望ましい。
上記アミン化合物を含む場合、ガラス表面に拭き跡が残りにくくなる。
【００９５】
本発明の第４実施形態に係る除菌洗浄剤組成物は、グリコール系溶剤、アルコール系溶剤、エーテル系溶剤、エステル系溶剤及びグリセリンからなる群から選択される少なくとも１種の溶剤を含むことが望ましい。
グリコール系溶剤としては、エチレングリコール、プロピレングリコール、ジプロピレングリコール、１，４−ブタンジオール、１，６−ヘキサンジオール、ポリエチレングリコール、ポリプロピレングリコール、エチレングリコールモノメチルエーテル、エチレングリコールモノエチルエーテル、エチレングリコールモノプロピルエーテル、エチレングリコールモノブチルエーテル、エチレングリコールｔ−ブチルエーテル、エチレングリコールモノヘキシルエーテル、エチレングリコールモノフェニルエーテル、ジエチレングリコールモノメチルエーテル、ジエチレングリコールモノエチルエーテル、ジエチレングリコールモノプロピルエーテル、ジエチレングリコールモノブチルエーテル、プロピレングリコールモノメチルエーテル、プロピレングリコールモノエチルエーテル、プロピレングリコールモノプロピルエーテル、プロピレングリコールモノブチルエーテル、ジプロピレングリコールモノメチルエーテル、ジプロピレングリコールモノエチルエーテル、ジプロピレングリコールモノプロピルエーテル、ジプロピレングリコールモノブチルエーテル、トリエチレングリコールモノエチルエーテル、トリエチレングリコールモノブチルエーテル等が挙げられる。
アルコール系溶剤としては、メチルアルコール、エチルアルコール、１−プロパノール、２−プロパノール、１−ブタノール、２−ブタノール、２−メトキシエタノール、２−エトキシエタノール、ベンジルアルコール、３−メトキシ−３−メチル−１−ブタノール、ポリオキシエチレンベンジルアルコール等が挙げられる。
エーテル系溶剤としては、ジエチルエーテル、ジイソプロピルエーテル、ジブチルエーテル等が挙げられる。
エステル系溶剤としては、エチレングリコールモノメチルエーテルアセテート、エチレングリコールモノエチルエーテルアセテート、プロピレングリコールモノメチルエーテルアセテート、プロピレングリコールモノエチルエーテルアセテート、ジエチレングリコールモノエチルエーテルアセテート、ジエチレングリコールモノブチルエーテルアセテート、３−メトキシ−３−メチル−１−ブチルアセテート等が挙げられる。
また、これらの溶剤の含有量は、０．５〜１０．０重量％であることが望ましく、１．０〜５．０重量％であることがより望ましい。
上記溶剤を含む場合、速乾性が向上する。
【００９６】
本発明の第４実施形態に係る除菌洗浄剤組成物は、さらにキレート剤を含んでいてもよい。
【００９７】
（実施例４−１）〜（実施例４−４２）及び（比較例４−１）〜（比較例４−５）
表１３〜１６に示す配合で、実施例４−１〜実施例４−４２及び比較例４−１〜比較例４−５に係る除菌洗浄剤組成物を作製した。
表１３〜１６中の数値は、「重量％」を示している。
【００９８】
【表１３】
2020147656.tif 000014
【００９９】
【表１４】
2020147656.tif 000015
【０１００】
【表１５】
2020147656.tif 000016
【０１０１】
【表１６】
2020147656.tif 000017
【０１０２】
＜濁度評価＞
上記本発明の第１実施形態に係る除菌洗浄剤組成物の＜濁度評価＞と同じ方法で、各実施例及び各比較例に係る除菌洗浄剤組成物について、濁度評価を以下の手順で行った。結果を表１３〜１６に示す。
【０１０３】
＜洗浄力評価＞
各実施例及び各比較例に係る除菌洗浄剤組成物について、洗浄力評価を以下の手順で行った。結果を表１３〜１６に示す。
スライドガラス（７２ｍｍ×５２ｍｍ）に複合汚れ（トリオレイン：オレイン酸：スクアレン＝６０：３０：１０）を０．１５ｇを塗り、６０分間放置し、モデル汚れとした。
次に、汚れの付いたスライドガラスを洗浄液原液に浸漬し、１分浸漬後の汚れの落ち具合を目視で評価した。
評価基準は以下の通りである。
○：汚れが５０％以上落ちている。
×：汚れが５０％未満しか落ちていない。
【０１０４】
＜大腸菌に対する除菌効果試験＞
上記本発明の第１実施形態に係る除菌洗浄剤組成物の＜大腸菌に対する除菌効果試験＞と同じ方法で、各実施例及び各比較例に係る除菌洗浄剤組成物の大腸菌に対する除菌効果を試験した。結果を表１３〜１６に示す。
【０１０５】
＜黄色ブドウ球菌に対する除菌効果試験＞
上記本発明の第１実施形態に係る除菌洗浄剤組成物の＜黄色ブドウ球菌に対する除菌効果試験＞と同じ方法で、各実施例及び各比較例に係る除菌洗浄剤組成物の黄色ブドウ球菌に対する除菌効果を試験した。結果を表１３〜１６に示す。
【０１０６】
＜サルモネラ菌に対する除菌効果試験＞
上記本発明の第３実施形態に係る除菌洗浄剤組成物の＜サルモネラ菌に対する除菌効果試験＞と同じ方法で、各実施例及び各比較例に係る除菌洗浄剤組成物のサルモネラ菌に対する除菌効果を試験した。結果を表１３〜１６に示す。
【０１０７】
表１３〜１５に示すように、各実施例に係る除菌洗浄剤組成物は、濁度評価が良好であり、沈澱等の不溶物が生じないことが判明した。
また、各実施例に係る除菌洗浄剤組成物は、充分な洗浄力を有することが判明した。
また、各実施例に係る除菌洗浄剤組成物は、大腸菌、黄色ブドウ球菌及びサルモネラ菌に対し充分な除菌力を示すことが判明した。
【０１０８】
（第５実施形態）
本発明の第５実施形態に係る除菌洗浄剤組成物は、浴室用の除菌洗浄剤組成物である。
本発明の第５実施形態に係る除菌洗浄剤組成物は、アニオン界面活性剤と、カチオン界面活性剤とを含む。
【０１０９】
本発明の第５実施形態に係る除菌洗浄剤組成物に含まれる望ましいアニオン界面活性剤及びカチオン界面活性剤は、上記本発明の第１実施形態に係る除菌洗浄剤組成物に含まれる望ましいアニオン界面活性剤及びカチオン界面活性剤と同じである。
【０１１０】
本発明の第５実施形態に係る除菌洗浄剤組成物において、アニオン界面活性剤とカチオン界面活性剤とのモル比は、アニオン界面活性剤／カチオン界面活性剤＝０．０１〜９９．０であることが望ましく０．１０〜５０．０であることがより望ましい。
【０１１１】
本発明の第５実施形態に係る除菌洗浄剤組成物において、除菌洗浄剤組成物の重量に対するアニオン界面活性剤及びカチオン界面活性剤の合計重量の割合は、０．５〜２０．０重量％であることが望ましく、３．０〜１０．０重量％であることがより望ましい。
【０１１２】
本発明の第５実施形態に係る除菌洗浄剤組成物において、ｐＨは、６〜１２であることが望ましく、７〜９であることがより望ましい。
【０１１３】
本発明の第５実施形態に係る除菌洗浄剤組成物は、グリコール系溶剤、アルコール系溶剤、エーテル系溶剤、エステル系溶剤及びグリセリンからなる群から選択される少なくとも１種の溶剤を含むことが望ましい。
グリコール系溶剤としては、エチレングリコール、プロピレングリコール、ジプロピレングリコール、１，４−ブタンジオール、１，６−ヘキサンジオール、ポリエチレングリコール、ポリプロピレングリコール、エチレングリコールモノメチルエーテル、エチレングリコールモノエチルエーテル、エチレングリコールモノプロピルエーテル、エチレングリコールモノブチルエーテル、エチレングリコールｔ−ブチルエーテル、エチレングリコールモノヘキシルエーテル、エチレングリコールモノフェニルエーテル、ジエチレングリコールモノメチルエーテル、ジエチレングリコールモノエチルエーテル、ジエチレングリコールモノプロピルエーテル、ジエチレングリコールモノブチルエーテル、プロピレングリコールモノメチルエーテル、プロピレングリコールモノエチルエーテル、プロピレングリコールモノプロピルエーテル、プロピレングリコールモノブチルエーテル、ジプロピレングリコールモノメチルエーテル、ジプロピレングリコールモノエチルエーテル、ジプロピレングリコールモノプロピルエーテル、ジプロピレングリコールモノブチルエーテル、トリエチレングリコールモノエチルエーテル、トリエチレングリコールモノブチルエーテル等が挙げられる。
アルコール系溶剤としては、メチルアルコール、エチルアルコール、１−プロパノール、２−プロパノール、１−ブタノール、２−ブタノール、２−メトキシエタノール、２−エトキシエタノール、ベンジルアルコール、３−メトキシ−３−メチル−１−ブタノール、ポリオキシエチレンベンジルアルコール等が挙げられる。
エーテル系溶剤としては、ジエチルエーテル、ジイソプロピルエーテル、ジブチルエーテル等が挙げられる。
エステル系溶剤としては、エチレングリコールモノメチルエーテルアセテート、エチレングリコールモノエチルエーテルアセテート、プロピレングリコールモノメチルエーテルアセテート、プロピレングリコールモノエチルエーテルアセテート、ジエチレングリコールモノエチルエーテルアセテート、ジエチレングリコールモノブチルエーテルアセテート、３−メトキシ−３−メチル−１−ブチルアセテート等が挙げられる。
また、これらの溶剤の含有量は、１．０〜２０．０重量％であることが望ましく、３．０〜１０．０重量％であることがより望ましい。
上記溶剤を含む場合、洗浄表面への濡れ性が向上する。
【０１１４】
本発明の第５実施形態に係る除菌洗浄剤組成物は、アミノカルボン酸系キレート剤、ホスホン酸系キレート剤、ヒドロキシカルボン酸系キレート剤、リン酸系キレート剤及びエーテルカルボン酸塩系キレート剤からなる群から選択される少なくとも１種のキレート剤を含むことが望ましい。
アミノカルボン酸系キレート剤としては、エチレンジアミン四酢酸（ＥＤＴＡ）、ニトリロ三酢酸（ＮＴＡ）、メチルグリシン二酢酸（ＭＧＤＡ）、ジエチレントリアミン五酢酸（ＤＴＰＡ）、ヒドロキシエチルエチレンジアミン三酢酸（ＨＥＤＴＡ）、トリエチレンテトラミン六酢酸（ＴＴＨＡ）、グルタミン酸二酢酸（ＧＬＤＡ）、ヒドロキシエチルイミノ二酢酸（ＨＩＤＡ）、ジヒドロキシエチルグリシン（ＤＨＥＧ）、１，３−プロパンジアミン四酢酸（ＰＤＴＡ）、１，３−ジアミノ−２−ヒドロキシプロパン六酢酸（ＤＰＴＡ−ＯＨ）、アスパラギン酸二酢酸（ＡＳＤＡ）、エチレンジアミンコハク酸（ＥＤＤＳ）又はこれらの塩等が挙げられる。
ホスホン酸系キレート剤としては、ヒドロキシエチリデンホスホン酸（ＨＥＤＰ）、ニトリロトリメチレンホスホン酸（ＮＴＭＰ）、ホスホノブタントリカルボン酸（ＰＢＴＣ）、エチレンジアミンテトラメチレンホスホン酸（ＥＤＴＭＰ）等が挙げられる。
ヒドロキシカルボン酸系キレート剤、リンゴ酸、クエン酸、乳酸、酒石酸、グルコン酸又はこれらの塩等が挙げられる。
リン酸系キレート剤としては、トリポリリン酸、ヘキサメタリン酸塩等が挙げられる。
また、これらのキレート剤の含有量は、１．０〜１０．０重量％であることが望ましく、２．０〜６．０重量％であることがより望ましい。
上記キレート剤を含む場合、石けんカスに対する洗浄力が向上する。
【０１１５】
本発明の第５実施形態に係る除菌洗浄剤組成物は、アルカリ金属水酸化物、炭酸塩及びアミン化合物からなる群から選択される少なくとも１種のアルカリ剤を含むことが望ましい。
アルカリ金属水酸化物としては、水酸化カリウム、水酸化ナトリウム等が挙げられる。
炭酸塩としては、炭酸カリウム、炭酸ナトリウム、炭酸水素カリウム、炭酸水素ナトリウム等が挙げられる。
アミン化合物としては、モノエタノールアミン、イソプロパノールアミン等が挙げられる。
【０１１６】
（実施例５−１）〜（実施例５−４２）及び（比較例５−１）〜（比較例５−５）
表１７〜２０に示す配合で、実施例５−１〜実施例５−４２及び比較例５−１〜比較例５−５に係る除菌洗浄剤組成物を作製した。
表１７〜２０中の数値は、「重量％」を示している。
【０１１７】
【表１７】
2020147656.tif 000018
【０１１８】
【表１８】
2020147656.tif 000019
【０１１９】
【表１９】
2020147656.tif 000020
【０１２０】
【表２０】
2020147656.tif 000021
【０１２１】
＜濁度評価＞
上記本発明の第１実施形態に係る除菌洗浄剤組成物の＜濁度評価＞と同じ方法で、各実施例及び各比較例に係る除菌洗浄剤組成物について、濁度評価を以下の手順で行った。結果を表１７〜２０に示す。
【０１２２】
＜洗浄力評価＞
各実施例及び各比較例に係る除菌洗浄剤組成物について、洗浄力評価を以下の手順で行った。結果を表１７〜２０に示す。
ＦＲＰ板（７５ｍｍ×７０ｍｍ）に複合汚れ（トリオレイン：オレイン酸：スクアレン＝６０：３０：１０）を０．２ｇを塗り、６０分間放置し、モデル汚れとした。
次に、汚れの付いたＦＲＰ板を洗浄液原液に浸漬し、１分浸漬後の汚れの落ち具合を目視で評価した。
評価基準は以下の通りである。
○：汚れが５０％以上落ちている。
×：汚れが５０％未満しか落ちていない。
【０１２３】
＜大腸菌に対する除菌効果試験＞
上記本発明の第１実施形態に係る除菌洗浄剤組成物の＜大腸菌に対する除菌効果試験＞と同じ方法で、各実施例及び各比較例に係る除菌洗浄剤組成物の大腸菌に対する除菌効果を試験した。結果を表１７〜２０に示す。
【０１２４】
＜黄色ブドウ球菌に対する除菌効果試験＞
上記本発明の第１実施形態に係る除菌洗浄剤組成物の＜黄色ブドウ球菌に対する除菌効果試験＞と同じ方法で、各実施例及び各比較例に係る除菌洗浄剤組成物の黄色ブドウ球菌に対する除菌効果を試験した。結果を表１７〜２０に示す。
【０１２５】
＜緑膿菌に対する除菌効果試験＞
上記本発明の第３実施形態に係る除菌洗浄剤組成物の＜サルモネラ菌に対する除菌効果試験＞と同じ方法で、各実施例及び各比較例に係る除菌洗浄剤組成物の緑膿菌に対する除菌効果を試験した。結果を表１７〜２０に示す。
【０１２６】
表１７〜１９に示すように、各実施例に係る除菌洗浄剤組成物は、濁度評価が良好であり、沈澱等の不溶物が生じないことが判明した。
また、各実施例に係る除菌洗浄剤組成物は、充分な洗浄力を有することが判明した。
また、各実施例に係る除菌洗浄剤組成物は、大腸菌、黄色ブドウ球菌及び緑膿菌に対し充分な除菌力を示すことが判明した。
【０１２７】
（第６実施形態）
本発明の第６実施形態に係る除菌洗浄剤組成物は、トイレ用の除菌洗浄剤組成物である。
本発明の第６実施形態に係る除菌洗浄剤組成物は、アニオン界面活性剤と、カチオン界面活性剤とを含む。
【０１２８】
本発明の第６実施形態に係る除菌洗浄剤組成物に含まれる望ましいアニオン界面活性剤及びカチオン界面活性剤は、上記本発明の第１実施形態に係る除菌洗浄剤組成物に含まれる望ましいアニオン界面活性剤及びカチオン界面活性剤と同じである。
【０１２９】
本発明の第６実施形態に係る除菌洗浄剤組成物において、アニオン界面活性剤とカチオン界面活性剤とのモル比は、アニオン界面活性剤／カチオン界面活性剤＝０．０１〜９９．０であることが望ましく０．１０〜５０．０であることがより望ましい。
【０１３０】
本発明の第６実施形態に係る除菌洗浄剤組成物において、除菌洗浄剤組成物の重量に対するアニオン界面活性剤及びカチオン界面活性剤の合計重量の割合は、０．５〜２０．０重量％であることが望ましく、３．０〜１０．０重量％であることがより望ましい。
【０１３１】
本発明の第６実施形態に係る除菌洗浄剤組成物において、ｐＨは、６〜１２であることが望ましく、７〜９であることがより望ましい。
【０１３２】
本発明の第６実施形態に係る除菌洗浄剤組成物は、アミノカルボン酸系キレート剤、ホスホン酸系キレート剤、ヒドロキシカルボン酸系キレート剤、リン酸系キレート剤及びエーテルカルボン酸塩系キレート剤からなる群から選択される少なくとも１種のキレート剤を含むことが望ましい。
アミノカルボン酸系キレート剤としては、エチレンジアミン四酢酸（ＥＤＴＡ）、ニトリロ三酢酸（ＮＴＡ）、メチルグリシン二酢酸（ＭＧＤＡ）、ジエチレントリアミン五酢酸（ＤＴＰＡ）、ヒドロキシエチルエチレンジアミン三酢酸（ＨＥＤＴＡ）、トリエチレンテトラミン六酢酸（ＴＴＨＡ）、グルタミン酸二酢酸（ＧＬＤＡ）、ヒドロキシエチルイミノ二酢酸（ＨＩＤＡ）、ジヒドロキシエチルグリシン（ＤＨＥＧ）、１，３−プロパンジアミン四酢酸（ＰＤＴＡ）、１，３−ジアミノ−２−ヒドロキシプロパン六酢酸（ＤＰＴＡ−ＯＨ）、アスパラギン酸二酢酸（ＡＳＤＡ）、エチレンジアミンコハク酸（ＥＤＤＳ）又はこれらの塩等が挙げられる。
ホスホン酸系キレート剤としては、ヒドロキシエチリデンホスホン酸（ＨＥＤＰ）、ニトリロトリメチレンホスホン酸（ＮＴＭＰ）、ホスホノブタントリカルボン酸（ＰＢＴＣ）、エチレンジアミンテトラメチレンホスホン酸（ＥＤＴＭＰ）等が挙げられる。
ヒドロキシカルボン酸系キレート剤、リンゴ酸、クエン酸、乳酸、酒石酸、グルコン酸又はこれらの塩等が挙げられる。
リン酸系キレート剤としては、トリポリリン酸、ヘキサメタリン酸塩等が挙げられる。
また、これらのキレート剤の含有量は、０．５〜１０．０重量％であることが望ましく、１．０〜５．０重量％であることがより望ましい。
上記キレート剤を含む場合、尿石汚れに対する洗浄力が向上する。
【０１３３】
（実施例６−１）〜（実施例６−４２）及び（比較例６−１）〜（６−５）
表２１〜２４に示す配合で、実施例６−１〜実施例６−４２及び比較例６−１〜比較例６−５に係る除菌洗浄剤組成物を作製した。
表２１〜２４中の数値は、「重量％」を示している。
【０１３４】
【表２１】
2020147656.tif 000022
【０１３５】
【表２２】
2020147656.tif 000023
【０１３６】
【表２３】
2020147656.tif 000024
【０１３７】
【表２４】
2020147656.tif 000025
【０１３８】
＜濁度評価＞
上記本発明の第１実施形態に係る除菌洗浄剤組成物の＜濁度評価＞と同じ方法で、各実施例及び各比較例に係る除菌洗浄剤組成物について、濁度評価を以下の手順で行った。結果を表２１〜２４に示す。
【０１３９】
＜洗浄力評価＞
上記本発明の第３実施形態に係る除菌洗浄剤組成物の＜洗浄力評価＞と同じ方法で、各実施例及び各比較例に係る除菌洗浄剤組成物について、洗浄力評価を行った。
【０１４０】
＜大腸菌に対する除菌効果試験＞
上記本発明の第１実施形態に係る除菌洗浄剤組成物の＜大腸菌に対する除菌効果試験＞と同じ方法で、各実施例及び各比較例に係る除菌洗浄剤組成物の大腸菌に対する除菌効果を試験した。結果を表２１〜２４に示す。
【０１４１】
＜黄色ブドウ球菌に対する除菌効果試験＞
上記本発明の第１実施形態に係る除菌洗浄剤組成物の＜黄色ブドウ球菌に対する除菌効果試験＞と同じ方法で、各実施例及び各比較例に係る除菌洗浄剤組成物の黄色ブドウ球菌に対する除菌効果を試験した。結果を表２１〜２４に示す。
【０１４２】
＜緑膿菌に対する除菌効果試験＞
大腸菌の代わりに緑膿菌（Ｐｓｅｕｄｏｍｏｎａｓ  ａｅｒｕｇｉｎｏｓａ  ＮＢＲＣ１３２７５）を用いた以外は、上記本発明の第１実施形態に係る除菌洗浄剤組成物の＜大腸菌に対する除菌効果試験＞と同様に、緑膿菌に対する除菌効果を試験した。結果を表２１〜２４に示す。
評価基準は以下の通りである。
〇：緑膿菌が死滅した。
×：緑膿菌が死滅しなかった。
【０１４３】
表２１〜２３に示すように、各実施例に係る除菌洗浄剤組成物は、濁度評価が良好であり、沈澱等の不溶物が生じないことが判明した。
また、各実施例に係る除菌洗浄剤組成物は、充分な洗浄力を有することが判明した。
また、各実施例に係る除菌洗浄剤組成物は、大腸菌、黄色ブドウ球菌及び緑膿菌に対し充分な除菌力を示すことが判明した。